【手続補正書】
【提出日】平成31年2月19日(2019.2.19)
【手続補正１】
【補正対象書類名】特許請求の範囲
【補正対象項目名】全文
【補正方法】変更
【補正の内容】
【特許請求の範囲】
【請求項１】
ワイヤレスデバイスによるワイヤレス通信のための方法であって、
システム帯域幅における利用可能なリソースの量に基づいて、より広い前記システム帯域幅内の１つまたは複数の狭帯域領域を識別することと、ここにおいて、前記識別することは、ホッピングパターンにしたがって、前記１つまたは複数の狭帯域領域を決定することを備え、ここにおいて、前記ホッピングパターンは、当初の狭帯域領域の識別に少なくとも基づく、および、
前記識別された狭帯域領域のうちの少なくとも１つを使用して通信することと、
を備える、方法。
【請求項２】
前記識別することは、
狭帯域領域の第１のセットを識別することと、および、
各々が前記第１のセットの前記狭帯域領域より少ないリソースブロックを備える、狭帯域領域の第２のセットを識別することと、
を備える、請求項１に記載の方法。
【請求項３】
狭帯域領域の前記第１のセットの各狭帯域領域は、リソースブロックと整列される、および、
狭帯域領域の前記第２のセットの各狭帯域領域は、異なる数のリソースブロックを備える、
請求項２に記載の方法。
【請求項４】
狭帯域領域の前記第２のセットを識別することは、
狭帯域領域の前記第２のセットに割り振られたリソースブロックの合計数を識別することと、および、
割り振られたリソースブロックの前記合計数に基づいて、狭帯域領域の前記第２のセットのうちの少なくとも１つの位置を決定することと、
を備える、請求項２に記載の方法。
【請求項５】
狭帯域領域の前記第２のセットのうちの前記少なくとも１つの位置を前記決定することは、
割り振られたリソースブロックの前記合計数が奇数であることを決定することと、および、
狭帯域領域の前記第２のセットの第１および第２の狭帯域領域を識別することと、ここにおいて、前記第１および第２の狭帯域領域は、狭帯域領域の前記第２のセットに関して割り振られた前記合計数より少ないリソースブロックを備える、
を備える、請求項４に記載の方法。
【請求項６】
狭帯域領域の前記第２のセットの第３の狭帯域領域を識別すること、ここにおいて、前記第１、第２、および第３の狭帯域領域は、狭帯域領域の前記第２のセットに関して割り振られたリソースブロックの前記合計数と等しいリソースブロックの数を備える、
をさらに備える、請求項５に記載の方法。
【請求項７】
前記第３の狭帯域領域は、前記システム帯域幅のセンターリソースブロックを少なくとも備え、前記第１および第２の狭帯域領域は、システム帯域幅の端に位置する、請求項６に記載の方法。
【請求項８】
前記ホッピングパターンを指示するシグナリングを受信することまたは送信することをさらに備える、請求項１に記載の方法。
【請求項９】
前記識別することは、前記ホッピングパターンに基づいて、アップリンクおよびダウンリンクサブフレームにおける狭帯域領域を識別することを備える、請求項１に記載の方法。
【請求項１０】
アップリンクおよびダウンリンク狭帯域領域との間の前記ホッピングパターンを指示するシグナリングを受信することまたは送信することをさらに備える、請求項９に記載の方法。
【請求項１１】
ダウンリンク狭帯域領域の識別に少なくとも基づいて、アップリンク狭帯域領域において通信することをさらに備える、請求項９に記載の方法。
【請求項１２】
ダウンリンク狭帯域領域の識別に少なくとも基づいて、関連付けられたダウンリンク狭帯域領域において通信することをさらに備える、請求項９に記載の方法。
【請求項１３】
アップリンク狭帯域領域の識別に少なくとも基づいて、ダウンリンク狭帯域領域において通信することをさらに備える、請求項９に記載の方法。
【請求項１４】
ワイヤレス通信のための装置であって、
請求項１ないし１３のいずれか一項に記載の方法を行うための手段
を備える、装置。
【請求項１５】
プロセッサによって実行されたとき、請求項１ないし１３のいずれか一項に記載の方法を行う、コンピュータにより実行可能なコードを記憶した、ワイヤレス通信のための非一時的なコンピュータ可読媒体。
【手続補正２】
【補正対象書類名】明細書
【補正対象項目名】００６３
【補正方法】変更
【補正の内容】
【００６３】
[0075]本開示の先の記述は、いずれの当業者でも、本開示の製造することまたは使用することができるように提供される。本開示への様々な変更は、当業者には容易に明らかとなり、および本明細書において定められる一般的な（generic）原理は、本開示の趣旨または範囲から逸脱することなく他のバリエーションに適用されうる。本開示への様々な変更は、当業者には容易に明らかとなり、および本明細書において定められる一般的な原理は、本開示の趣旨または範囲から逸脱することなく他のバリエーションに適用されうる。それゆえに、本開示は、本明細書において記述される例および設計に限定されるように意図されておらず、本明細書において開示される原理および新規の特徴と一致する最も広い範囲が付与されるべきである。
以下に本願の出願当初の特許請求の範囲に記載された発明を付記する。
［Ｃ１］  ワイヤレスデバイスによるワイヤレス通信のための方法であって、
システム帯域幅における利用可能なリソースの量に基づいて、より広い前記システム帯域幅内の１つまたは複数の狭帯域領域を識別することと、および、
前記識別された狭帯域領域のうちの少なくとも１つを使用して通信することと、
を備える、方法。
［Ｃ２］  前記識別することは、
狭帯域領域の第１のセットを識別することと、および、
各々が前記第１のセットの前記狭帯域領域より少ないリソースブロックを備える、狭帯域領域の第２のセットを識別することと、
を備える、Ｃ１に記載の方法。
［Ｃ３］  狭帯域領域の前記第１のセットの各狭帯域領域は、少なくとも６つのリソースブロックを備える、Ｃ２に記載の方法。
［Ｃ４］  狭帯域領域の前記第１のセットの各狭帯域領域は、リソースブロックと整列される、および、
狭帯域領域の前記第２のセットの各狭帯域領域は、異なる数のリソースブロックを備える、
Ｃ２に記載の方法。
［Ｃ５］  狭帯域領域の前記第１のセットは、前記システム帯域幅のセンターに位置する第２の狭帯域領域と隣接する、Ｃ４に記載の方法。
［Ｃ６］  狭帯域領域の前記第２のセットを識別することは、
狭帯域領域の前記第２のセットに割り振られたリソースブロックの合計数を識別することと、および、
割り振られたリソースブロックの前記合計数に基づいて、狭帯域領域の前記第２のセットのうちの少なくとも１つの位置を決定することと、
を備える、Ｃ２に記載の方法。
［Ｃ７］  狭帯域領域の前記第２のセットのうちの前記少なくとも１つの位置を前記決定することは、
割り振られたリソースブロックの前記合計数が奇数であることを決定することと、および、
狭帯域領域の前記第２のセットの第１および第２の狭帯域領域を識別することと、ここにおいて、前記第１および第２の狭帯域領域は、狭帯域領域の前記第２のセットに関して割り振られたリソースブロックの前記合計数より少なく備える、
を備える、Ｃ６に記載の方法。
［Ｃ８］  狭帯域領域の前記第２のセットの第３の狭帯域領域を識別すること、ここにおいて、前記第１、第２、および第３の狭帯域領域は、狭帯域領域の前記第２のセットに関して割り振られたリソースブロックの前記合計数と等しいリソースブロックの数を備える、
をさらに備える、Ｃ７に記載の方法。
［Ｃ９］  前記第３の狭帯域領域は、前記システム帯域幅のセンターリソースブロックを少なくとも備え、前記第１および第２の狭帯域領域は、システム帯域幅の端に位置する、Ｃ８に記載の方法。
［Ｃ１０］  前記識別することは、ホッピングパターンにしたがって、異なるサブフレームにおける狭帯域領域を識別することを備える、Ｃ１に記載の方法。
［Ｃ１１］  前記ホッピングパターンを指示するシグナリングを受信することまたは送信することをさらに備える、Ｃ１０に記載の方法。
［Ｃ１２］  前記ホッピングパターンは、当初の狭帯域領域の識別に少なくとも基づく、Ｃ１０に記載の方法。
［Ｃ１３］  前記識別することは、ホッピングパターンに基づいて、アップリンクおよびダウンリンクサブフレームにおける狭帯域領域を識別することを備える、Ｃ１に記載の方法。
［Ｃ１４］  アップリンクおよびダウンリンク狭帯域との間の前記ホッピングパターンを指示するシグナリングを受信することまたは送信することをさらに備える、Ｃ１３に記載の方法。
［Ｃ１５］  ダウンリンク狭帯域領域の識別に少なくとも基づいて、アップリンク狭帯域領域において通信することをさらに備える、Ｃ１３に記載の方法。
［Ｃ１６］  ダウンリンク狭帯域領域の識別に少なくとも基づいて、ダウンリンク狭帯域領域において通信することをさらに備える、Ｃ１３に記載の方法。
［Ｃ１７］  アップリンク狭帯域領域の識別に少なくとも基づいて、ダウンリンク狭帯域領域において通信することをさらに備える、Ｃ１３に記載の方法。
［Ｃ１８］  前記ワイヤレスデバイスは、ユーザ機器または基地局のうちの１つを備える、Ｃ１に記載の方法。
［Ｃ１９］  ワイヤレス通信のための装置であって、
少なくとも１つのプロセッサと、前記少なくとも１つのプロセッサは、
システム帯域幅における利用可能なリソースの量に基づいて、より広い前記システム帯域幅内の１つまたは複数の狭帯域領域を識別することと、および、
前記識別された狭帯域領域のうちの少なくとも１つを使用して通信することと、
を行うように構成される、および、
前記少なくとも１つのプロセッサに結合されたメモリと、
を備える、装置。
［Ｃ２０］  ワイヤレス通信のための装置であって、
システム帯域幅における利用可能なリソースの量に基づいて、より広い前記システム帯域幅内の１つまたは複数の狭帯域領域を識別するための手段と、および、
前記識別された狭帯域領域のうちの少なくとも１つを使用して通信するための手段と、  を備える、装置。
［Ｃ２１］  ワイヤレス通信のためのコンピュータ可読媒体であって、
システム帯域幅における利用可能なリソースの量に基づいて、より広い前記システム帯域幅内の１つまたは複数の狭帯域領域を識別するためのコードと、および、
前記識別された狭帯域領域のうちの少なくとも１つを使用して通信するためのコードと、
を備える、コンピュータ可読媒体。